(57)【特許請求の範囲】
【請求項１】
支点を起点とする畳み線を少なくても二本入れた扇ぎ板を設け、該扇ぎ板の下部に軸穴を設け、該扇ぎ板は該畳み線によって少なくても三つの室に区分され、一方の端に位置する室を一方の竿室とし、他方の端に位置する室を他方の竿室とし、該一方の竿室と該他方の竿室とで挟まれた室を反転室とし、該反転室の下端は該軸穴の縁線の一部である反転穴縁と成り、該竿室の横外縁に外側折線を介して畳み固定箇所を延設し、該畳み固定箇所として、一方の竿室から一方の外側折線を介して扇ぎ板の下部領域を挟む挟み部を延設し、該挟み部は袋折線の袋折によって折り重なる略線対称形状を成しており、該袋折線を介して一方の挟み板と他方の挟み板に区分され、他方の挟み板の略中央に片折線を介して差込片を延設し、一方の挟み板の略中央に挿入穴を設け、該挿入穴の隣に該差込片を差込める長さの切溝を設けたことを特徴とする折畳み穴開き扇子。
【請求項２】
畳み固定箇所として、他方の竿室から他方の外側折線を介して転板を延設し、該転板の略中央に転穴を設け、該転穴に他方の挟み板の略中央に片折線を介して延設された差込片が差し込まれて固定されることを特徴とする請求項１記載の折畳み穴開き扇子。
【発明の詳細な説明】
【技術分野】
【０００１】
本発明は、紙扇子に関する物である。
【背景技術】
【０００２】
従来の紙扇子は、大半円の把持域に中心線を袋折して小半円を折り重ねて補強し、該大半円と該小半円とが折り重なった状態で小孔を中心とする放射状の折線を入れ、該折線が谷折と山折を交互に繰り返すことでジャバラに折り畳まれ、該折畳み状態を固定するために両端の位置関係にある切込線へ挿入舌片を差込む構造の物であった。
【先行技術文献】
【特許文献】
【０００３】
【特許文献１】実開昭５６−４４２０号
【発明の概要】
【発明が解決しようとする課題】
【０００４】
従来の技術は、蛇腹状に折畳むことはできるものの、折畳み状態の固定は、挿入舌片を切込線に毎回挿入しなければ固定できないという問題点があった。本発明では前記のような問題の解決を課題にする。
【課題を解決するための手段】
【０００５】
支点を起点とする放射線の畳み折線を少なくても二本入れて扇ぎ板を設け、該扇ぎ板は該畳み折線を介して少なくても三つの室に区分され、外側の室の各々を一方の竿室と他方の竿室とし、該竿室どうしに挟まれた室を反転室とし、該反転室の下端は軸穴の上縁の一部に成っている。一方の竿室から一方の外側折線を介して挟み部を延設し、該挟み部は中央を横切る袋折線によって一方の挟み板と他方の挟み板とに区分され、他方の挟み板の略中央に片折線を介して差込片を延設し、一方の挟み板の略中央に挿入穴を設け、該挿入穴に該差込片を挿入して折り返された領域の略中央横断線で切溝を設ける。他方の竿室から他方の外側折線を介して転板を延設し、該転板の略中央に転穴を設ける。
【発明の効果】
【０００６】
反転室の下端は軸穴の上縁の一部になっているので、該反転室の下端の切断縁領域を反転穴縁とし、切断縁の反転穴縁になったことで反転が可能となり、一方の竿室と他方の竿室とを重ね合わせることで該反転室は反転するので扇ぎ板は折畳み状態となる。一方の外側折線を折り返すことで挟み部の略半分は該扇ぎ板の下部領域と重なり合い、該挟み部の袋折線を折り返して袋折することで、一方の挟み板と他方の挟み板とで該扇ぎ板の下部領域を挟み込むことができ、該挟み部の挟み込みによって該扇ぎ板の扇ぎ使用での補強の他、該扇ぎ板の折畳み状態を固定できる。他方の外側折線を折り返すことで転板を該扇ぎ板の下部に重ね合わせることができ、該転板の重なり状態を該挟み部で挟み込み、他方の挟み板から延設されている差込片を片折線の折り返しで、転穴、軸穴、挿入穴に挿入した該差込片の先領域を切溝に差し込んで固定することができ、該切溝への差込固定によって該挟み部の挟み固定が強固になり、該差込片を差込むことによってできた貫通穴を指穴とし、該指穴は指を引っ掛けて扇ぎ易くする働きの他に、組み立てられた本体の扇ぎ板を折り畳んだり開いたりする開閉の要（かなめ）の役割も果たすことができる。
【図面の簡単な説明】
【０００７】
【図１】展開正面図である。（実施例１）
【図２】組立過程要部透視正面斜視図である。
【図３】組立過程要部透視正面斜視図である。
【図４】組立完了要部透視正面斜視図である。
【図５】開き状態要部のみ透視正面斜視図である。
【図６】閉じ状態要部のみ透視正面斜視図である。
【発明を実施するための形態】
【０００８】
竹骨扇子同様に、開閉する動作だけで使用できる紙扇子を実現した。
【実施例１】
【０００９】
図１は展開正面図である。折線は一点鎖線で示し、延長線や基線などは二点鎖線で示し、
縁及び切線は一本の実線で示し、引き出し（指示）線は細い曲線で示す。山折と谷折で表示する折り曲げ方向は図示状態での正面方向からを基準にする。左右方向を横とし、天地方向を縦とし、正面背面方向を前後とする。符号は数字で表示するが、同じ符号が複数ある場合は符号の後ろに一方をａ、他方をｂとする補助符号を表示することにし、該補助符号を表示しない場合は一方と他方の総称（双方を指示）とする。本発明を形成する素材は限定ではなく、プラスチックであっても良いが、適宜に腰のある厚紙であることが望ましく、前記厚紙の硬さは楽に折り曲げられて扇ぎ使用に耐えられる硬さであれば良く、具体的に述べるならば、官製ハガキよりも硬ければ目的を果たせる。
【００１０】
本体１で大きな面積を占める扇ぎ板２の形状は限定ではなく、花、ハート、動物など、自由なデザインであっても良いが、発明の内容を明瞭にするために天広がりの扇形状を基本とする。該扇ぎ板２の略下部の略中央に支点３を設け、該支点３を起点として天方へ伸びる少なくても二本の放射線で一方の畳み線４ａと他方の畳み線４ｂとを設ける。
【００１１】
該支点３は該扇ぎ板２の下端よりも適宜に天方へ移動した箇所に設けることが望ましく、該支点３を中心とする真円形を軸基穴５とし、該軸基穴５の大きさは適宜であって良く、親指が楽に入る大きさであることが望ましく、具体的な寸法を述べるならば直径３０ミリ程度であることが望ましい。
【００１２】
図面での一方と他方の位置関係は限定ではないが、左及び上にある方を一方とし、右及び下にある方を他方とすることで、双方の位置関係を明瞭に説明できるようにする。該扇ぎ板２は一方の畳み線４ａと他方の畳み線４ｂとによって左右の横方向へ三つの室に区分されており、該三つに区分された外側双方の室を竿室６とし、該竿室６は二つの対で有しており、一方の竿室６ａと他方の竿室６ｂとで挟まれた室を反転室７とする。
【００１３】
該軸基穴５は該支点３を中心点とする真円であるが、該支点３を中心にして該反転室７は反転する構造であり、該反転室７の下端は該支点３から該軸基穴５の半径だけ離れた箇所に位置しているので該反転室７の下端縁域を反転穴縁２６とし、該反転穴縁２６の領域だけ畳み線４の下端どうしは離れており、該反転室７を反転するときに該反転穴縁２６の領域だけ該軸基穴５の他方の縁が一方の方へ一時的に移動することになり、前記の移動領域が該軸基穴５より内側へ食み出すので、前記の食み出し領域を取り除くために遊び８の領域を他方側を削って形成し、該遊び８の領域を含めた穴を軸穴９として設け、該軸穴９の上縁の部分領域が実質の反転穴縁２６となる。
【００１４】
該反転室７の下端は該軸穴９の縁の一部となっているので、該反転室７の下端が切り離された切縁である反転穴縁２６であることから該反転室７の反転が可能となり、該軸穴９は遊び８の領域も含めた大きさになっているので、該軸穴９の他方の縁が軸基穴５の内側へ食み出すのを防止しており、該軸穴９は扇ぎ板２の下端よりも適宜に天方が移動した箇所に位置しており、該軸穴９より下領域を左右に切り離す分離部１０を該軸穴９の下から該扇ぎ板２の下縁である底縁２４へ向けた切線で設ける。
【００１５】
一方の竿室６ａから一方の外側折線１１ａを介して挟み部１２を延設し、該挟み部１２は中央を横切る袋折線１３を中心線とする略（ほぼ）線対称形状であることが望ましく、略線対称としているのは一方の板面の縁が外側折線１１ａと隣接していることから直線形状になっていて完全な線対称形状でないからであり、該袋折線１３を介して区分された各々の板面を一方の挟み板１４ａと他方の挟み板１４ｂとする。
【００１６】
上記対で有する挟み板１４のどちらを一方とするかは限定ではないが、明瞭に説明する目的から一方の外側折線１１ａと隣接する方を一方の挟み板１４ａとする。他方の挟み板１４ｂの略中央領域を略トンネル形状に切り出して差込片１５を延設し、略トンネル形状の底辺直線部分を片折線１６とし、該片折線１６は袋折線１３と略並行であることが望ましい。
【００１７】
一方の挟み板１４ａの略中央に袋折線１３を中心線とする線対称の位置関係と形状での差込片１５と同形状の挿入穴１７を設け、トンネル形状の該挿入穴１７の直線部分を穴底辺１８とし、該穴底辺１８から袋折線１３方向へ平行移動した箇所に切溝１９を切り込んで設け、該切溝１９の位置は限定ではないが、差込片１５の略半分の長さだけ平行移動した位置であることが望ましく、差込片１５の略中央を横切る箇所に刻み線２０の折線を入れることで、該差込片１５を半分に折り曲げることができるので、該差込片１５を該切溝１９へ挿入し易くできる。
【００１８】
他方の竿室６ｂから他方の外側折線１１ｂを介して転板２１を延設し、該転板２１の形状は限定ではないが、一方の挟み板１４ａと左右線対称の形状であることが望ましい。該転板２１の略中央に転穴２２を設け、該転穴２２は他方の外側折線１１ｂを中心線とした線対称での軸穴９と同形であることが望ましく、該転穴２２でも他方の外側折線１１ｂの線対称で他方の遊び８ｂと転基穴２３を有しており、該転基穴２３に該他方の遊び８ｂを加えた穴領域が転穴２２である。
【００１９】
図２は組立過程要部透視正面斜視図である。折線は一点鎖線で表示しているが、背部に隠れた場合は透視線とする破線となり、延長線及び基線は細くした二点鎖線のまま表示する。支点３から発するＶ字の延長線は短いので一点鎖線のように図示されているが、実際は二点鎖線である。折り曲げ方向を示す山折、谷折は、正面方向からを基準とし、使用者が自由に山折と谷折を変更できるので限定できないが、特許内容を明瞭に説明するために折り曲げ方向を明記する。
【００２０】
一方の竿室６ａから一方の外側折線１１ａを谷折して挟み部１２を正面へ折り返すことで、該挟み部１２の略中央を横切る袋折線１３は略水平となり、該袋折線１３を介する上部領域は一方の挟み板１４ａであり、下部領域は他方の挟み板１４ｂである。
【００２１】
一方の挟み板１４ａは扇ぎ板２の下部領域の正面に重なり合って（重合）しており、軸基穴５と挿入穴１７の上部縁は支点３を中心点とする同一円周線上に位置することが望ましい。該挿入穴１７の下部は部分的に適宜な水平線にし、該水平線を穴底辺１８とし、該穴底辺１８の形成によって該挿入穴１７は略トンネル形状となる。該穴底辺１８と袋折線１３との略中央部に水平な切溝１９を設けることが望ましい。
【００２２】
軸基穴５から他方の隣接領域は一方の遊び８ａとなって削られており、該一方の遊び８ａを削って大きくなった穴領域を軸穴９とし、反転室７の下端は該軸穴９の頂部縁線の一部になっており、該頂部縁線の一部の領域を反転穴縁２６とし、該軸穴９の下部から扇ぎ板２の底縁２４へ向けた切線を入れて切り離し、該切り離し線を分離部１０とする。
【００２３】
扇ぎ板２の底縁２４は袋折線１３よりも適宜に天方へ移動した位置であることが望ましく、該底辺２４と該袋折線１３とが適宜に離れていることによって、該袋折線１３が楽に折れ曲がることと、該分離部１０で分離する底縁２４の他方が滑り移動しやすくなる。
【００２４】
他方の竿室６ｂから他方の外側折線１１ｂを介して延設された転板２１の略中央に転穴２２を設ける。軸穴９と該転穴２２との位置関係は他方の外側折線１１ｂを中心線とする線対称であり、該転穴２２は転基穴２３から他方の遊び８ｂの領域を削り取った形状を成しており、一方の遊び８ａと他方の遊び８ｂの位置関係は他方の外側折線１１ｂを中心線とする線対称で有している。
【００２５】
図３は組立過程要部透視正面斜視図である。他方の外側折線１１ｂを谷折して転板２１を正面へ折り返しても良いのであるが、他方の外側折線１１ｂを山折して転板２１を背面へ折り返して図示する。
【００２６】
扇ぎ板２の背面へ該転板２１を折り重ね、正面へ一方の挟み板１４ａを折り重ねているので、該扇ぎ板２の下部領域は三枚重ね状態となっており、該三枚重ね状態を固定するために挟み部１２中央を横切っている袋折線１３を山折にして垂れ下がっている他方の挟み板１４ｂを背面へ折り返し、差込片１５を背面から転穴２２、軸穴９、挿入穴１７の順で通して、正面へ突き出された該差込片１５の先領域（刻み線２０から先）を切溝１９に差し込んで固定する。
【００２７】
図４は組立完了要部透視正面斜視図である。図３で垂れ下がっていた他方の挟み板１４ｂを背面へ折り返し、差込片１５を転穴２２から差し込んで挿入穴１７から正面へ抜き出た該差込片１５の先領域を切溝１９に差し込んで固定する。
【００２８】
該差込片１５の略中央を横断する折線で刻み線２０を入れることが望ましく、該刻み線２０から先を該差込片１５の先領域とする。該刻み線２０を有することで該差込片１５を二つ折りにすることができるので該切溝１９への差込が容易になり、該刻み線２０と該切溝１９は微妙にズラして図示しているが、それは引き出し線で指示しやすくするためで、実際には同一線上であることが望ましい。
【００２９】
支点３の周囲に重なり合って貫通している穴を総称して指穴２５とし、該指穴２５形成で重なっている穴を背面から述べるならば、差込片が抜き出た穴から始まり、転穴２２、軸穴９、挿入穴１７の順で重なっている。
【００３０】
図５は開き状態要部のみ透視正面斜視図である。図４と同じ組立完了正面斜視図であるが、透視の層は一枚だけとし、二枚目以上の透視は省略することで要部のみを透視した正面斜視図にし、扇ぎ板２が折り畳まれて閉じる構造を説明し易い図にした。
【００３１】
扇ぎ板２の折畳み方向は限定ではなく、使用者が自由に選択できるのであるが、望ましい折畳み方向を述べるならば、一方の畳み線４ａを谷折し、他方の畳み線４ｂを山折することで、一方の竿室６ａの正面へ反転して折り重なった反転室７の正面へ他方の竿室６ｂが折り重なって該扇ぎ板２は折り畳まれて閉じた状態になる。
【００３２】
反転室７の下端は軸穴９の縁の一部となっており、該反転室７の下端縁領域を反転穴縁２６とし、該反転穴縁２６を有していることで該反転室７の下端は切り離された構造になるので、該反転室７だけを反転させて、一方の竿室６ａと他方の竿室６ｂとの重なりを実現できる。
【００３３】
反転室７の反転過程で反転穴縁２６の領域分だけ軸穴９の他方の縁が支点３の方向へ移動するので、遊び８の領域を削り取ることで挿入穴１７から支点３方向へ他方の縁が食み出すのを防止しており、片折線１６の他方の端に軸穴９の他方の縁が接触するのを遊び８領域の削り取りによって防止している。
【００３４】
図６は閉じ状態要部のみ透視正面斜視図である。一方の畳み線４ａを谷折し、他方の畳み線４ｂを山折することで扇ぎ板２は折り畳まれて閉じ状態となり、背面から一方の竿室６ａ、反転した反転室７、他方の竿室６ｂの順で折り重なっている。
【００３５】
反転室７の下端は反転穴縁２６の切縁となっているので、該反転室７のみが反転可能となり、一方の畳み線４ａと他方の畳み線４ｂの延長線が支点３で交差しているので、該反転室７は該支点３を中心点として反転する。
【００３６】
反転室７が反転して裏向きになることで支点３を中心点として他方の竿室６ｂは左へ回転移動するのであり、該他方の竿室６ｂが左へ回転移動することで該支点３から下の分離部１０は二つに分離し、一方の分離部１０ａは元の位置に留まるが、他方の分離部１０ｂは該支点３を中心として右へ回転移動する。
【００３７】
反転穴縁２６が反転することで、該反転穴縁２６よりも他方（右側）の軸穴９領域が回転移動することになり、該他方の軸穴領域は支点３を中心として回転移動するのではなくて一方の畳み線４ａの下端を中心として回転移動するので、該反転穴縁２６の長さ（領域）だけ支点３方向へ接近して回転移動することになり、他方の該軸穴９の縁が片折線１６の他方の端に接するのを防止するために遊び８の領域を削って該軸穴９の他方を広くしてある。
【００３８】
折り畳まれた他方の畳み線４ｂは一方の挟み板１４ａと一方の竿室６ａとの間に挟み込まれて折畳み状態が固定されており、本体１から手を離しても扇ぎ板２が無造作に開くことはない。
【００３９】
片折線１６は指穴２５の下部を束ねており、差込片１５の先領域を切溝１９に差込むことで該指穴２５の束ね状態は固定されており、該指穴２５の束ね固定によって一方の挟み板１４ａは固定されているので、本体１の折畳み閉じ状態を固定できる。
【００４０】
指穴２５は束ね固定の働きの他に、指を挿入して持つこともできるので、図５で示すように開いた状態で扇ぐ場合に持ち易くできる。
【００４１】
扇ぎ板２の畳み線４は二本設けることが望ましいのであるが、該畳み線４の本数を増やしても良く、例えば該畳み線４を四本にして五つの室に区分しても良い。室が五つある扇ぎ板は図示していないが、文章だけで説明する。室が五つある場合は、中央の室を反転しない竿室とし、該中央竿室の両側へ畳み線を介して一方と他方の反転室を延設し、該一方と他方の反転室の更に外側へ畳み線を介して一方と他方の竿室を延設しても良い。竿室どうしに挟まれた室を反転室としているので、請求項の内容をそのまま引き継いでいる。
【産業上の利用可能性】
【００４２】
本発明は、印刷を自由にできるので、宣伝媒体として使用することもできる。
【符号の説明】
【００４３】
１              本体
２              扇ぎ板
３              支点
４ａ、４ｂ      畳み線
５              軸基穴
６ａ、６ｂ      竿室
７              反転室
８ａ、８ｂ      遊び
９              軸穴
１０            分離部
１１ａ、１１ｂ  外側折線
１２            挟み部
１３            袋折線
１４ａ、１４ｂ  挟み板
１５            差込片
１６            片折線
１７            挿入穴
１９            切溝
２１            転板
２２            転穴
２３            転基穴
２６            反転穴縁
【要約】
【課題】
折畳んで閉じたり、折畳みを解除して開いたりの開閉を、一つの動作で繰り返しのできる折畳み穴開き扇子を提供する。
【解決手段】
支点を起点とする畳み線を少なくても二本入れた扇ぎ板を設け、該扇ぎ板の略下部中央に軸穴を設け、該畳み線によって三つの室に区分され、該室を一方から順に、一方の竿室、反転室、他方の竿室とし、該反転室の下端は該軸穴の縁線の一部である反転穴縁と成り、該一方の竿室から一方の外側折線を介して延設された挟み部は中央横断の袋折線を介して一方の挟み板と他方の挟み板に区分され、他方の挟み板の略中央に片折線を介して差込片を延設し、一方の挟み板の略中央に該差込片を挿入する挿入穴を開けて、該挿入穴の隣に切溝を設け、他方の竿室から他方の外側折線を介して転板を延設し、該転板の略中央に転穴を設ける。
【選択図】  図１【図１】
0006010168.tif 000002
【図２】
0006010168.tif 000003
【図３】
0006010168.tif 000004
【図４】
0006010168.tif 000005
【図５】
0006010168.tif 000006
【図６】
0006010168.tif 000007